(57)【要約】【課題】配光ムラの少ない減光板付きの近接撮影用アダプタを提供する。【解決手段】近接撮影用アダプタ１１は、レンズ付きフイルムユニット１０の前面に装着される。補助レンズ３１は、該ユニット１０の撮影レンズのピントセット位置を近距離側に変更する。減光板４６は、ストロボ発光部の前面に配置され、ストロボ光を減光する。減光板４６は、遮光板４７に多数の穴からなる通過孔４８を形成したものである。多数の穴は、口径の異なる複数種類の穴からなる。通過孔４８は、それらの配列パターンが、遮光板４７の中心を通る水平軸及び垂直軸を基準として、上下左右が非対称となるように配置されている。配列パターンの規則性がなくなると、配光ムラの規則性も排除されて、配光ムラが軽減される。【選択図】        図３
2004226744.tif 000002
【特許請求の範囲】
【請求項１】
撮影レンズとストロボ発光部とが設けられたカメラの前面に取り付けられ、前記撮影レンズの前方に配置され、ピントセット位置を近距離側に変更する接写用補助レンズと、前記ストロボ発光部の前方に配置される減光板とを備えた近接撮影用アダプタにおいて、
前記減光板は、遮光板に、前記ストロボ発光部からの光が通過する多数の穴からなる通過孔を形成したものであり、前記通過孔は、それらの配列パターンが遮光板の中心を通る水平軸及び垂直軸を基準に上下左右で非対象となるように配置されていることを特徴とする近接撮影用アダプタ。
【請求項２】
前記通過孔は、口径の異なる複数種類の穴からなり、さらに、隣接する２つの穴の中心が、前記水平軸又は垂直軸と平行な直線上に並べて配置される場合には、それらの口径が異なるようにしたことを特徴とする請求項１記載の近接撮影用アダプタ。
【請求項３】
前記通過孔の内周には、減光板の背面側の径よりも前面側の口径が大きくなるようにテーパが付けられていることを特徴とする請求項１又は２記載の近接撮影用アダプタ。
【請求項４】
前記減光板を通過して得られるストロボ光の配光角を前記接写用補助レンズの撮影画角に合わせたことを特徴とする請求項１〜３いずれか記載の近接撮影用アダプタ。
【請求項５】
前記減光板が前記ストロボ発光部の発光面に対して傾斜して配置される場合に、前記水平軸を基準として、前記発光面との距離が離れている領域の通過孔の占有面積が、前記距離が近い領域の占有面積よりも大きいことを特徴とする請求項１〜４いずれか記載の近接撮影用アダプタ。
【請求項６】
アダプタ本体の前面には、セルフ撮影時に撮影者が画角を確認するための画角確認用表示部が設けられており、前記表示部は、凹部と、その凹部の奥に配置され、撮影者が前記接写用補助レンズの画角内に入っている場合に撮影者によって視認可能なマークとからなることを特徴とする請求項１〜５いずれか記載の近接撮影用アダプタ。
【請求項７】
アダプタ本体には、セルフ撮影時に撮影者が画角を確認するための反射ミラーが設けられていることを特徴とする請求項１〜５いずれか記載の近接撮影用アダプタ。
【請求項８】
アダプタ本体には、カメラのファインダレンズの前方に配置され、近接撮影時に発生するパララックスに応じて前記ファインダレンズの視野範囲を補正する近接撮影用視野枠が設けられていることを特徴とする請求項１〜７いずれか記載の近接撮影用アダプタ。
【発明の詳細な説明】
【０００１】
【発明の属する技術分野】
本発明は、カメラの前面に取り付けられる近接撮影用アダプタに関するものである。
【０００２】
【従来の技術】
誰でも手軽に写真撮影を楽しめるように、１回使用型の簡易型カメラであるレンズ付きフイルムユニットが知られている。レンズ付きフイルムユニットのスタンダードモデルでは、ピントセット位置を１ｍ〜無限遠の撮影距離範囲に合わせた固定焦点式の撮影レンズが使用される。このスタンダードモデルで、セルフ撮影や、花やペットなどのクローズアップ撮影などの近接撮影を行うと、ピントが合わないばかりか、ストロボ光量が多くなりすぎて露光オーバーとなり、良好な画質を得ることができない。そこで、スタンダードモデルの前面に取り付けることで、セルフ撮影など、１ｍ以下の撮影距離の撮影を可能にする近接撮影用アダプタが製品化されている（例えば、特許文献１参照）。
【０００３】
この近接撮影用アダプタは、レンズ付きフイルムユニット本体に固定するための取り付け部を有するアダプタ本体と、前記撮影レンズの前方に配置され、前記撮影レンズと併用することによりピントセット位置を近距離側に変更する接写用補助レンズと、ストロボ発光部の前面に配置され、ストロボ光を減光するための減光板とからなる。減光板は、ストロボ発光部とほぼ同じ大きさを持つ遮光板に、ストロボ光を通過させる複数の穴を形成したものである。
【０００４】
上記近接撮影用アダプタには、図１３に示すような減光板８１が設けられており、口径の異なる３種類の穴８２ａ〜８２ｃが形成されており、これら３種類の穴８２ａ〜８２ｃは、遮光板８３の中央から周縁に向かうに従って、口径が大きくなるように配置されている。こうすることで、配光範囲が狭くなってしまうことを防止している。また、各穴８２ａ〜８２ｃは、それらの中心が、遮光板８３の中心を通る水平軸Ａｈ又は垂直軸Ａｖと平行な直線上に位置するように整列されており、また、それらの配列パターンが、前記水平軸Ａｈ及び垂直軸Ａｖを基準とし、上下左右が対象となるように配置されている。
【０００５】
【特許文献１】
特開平１１−３８４８０号公報
【０００６】
【発明が解決しようとする課題】
しかしながら、従来の近接撮影用アダプタのように、各穴が規則的に配列されていると、配光ムラが規則的に発生するため、配光ムラの程度が大きくなってしまうという問題があった。すなわち、明るい部位と暗い部位とが規則的に発生するとともに、それらの明暗の差も大きく、配光ムラが非常に目立ってしまうという問題があった。
【０００７】
本発明は、配光ムラの少ない減光版を持つ近接撮影用アダプタを提供することを目的とする。
【０００８】
【課題を解決するための手段】
前記目的を達成するために、本発明の近接撮影用アダプタは、撮影レンズとストロボ発光部とが設けられたカメラの前面に取り付けられ、前記撮影レンズの前方に配置され、ピントセット位置を近距離側に変更する接写用補助レンズと、前記ストロボ発光部の前方に配置される減光板とを備えた近接撮影用アダプタにおいて、前記減光板は、遮光板に、前記ストロボ発光部からの光が通過する多数の穴からなる通過孔を形成したものであり、前記通過孔は、それらの配列パターンが遮光板の中心を通る水平軸及び垂直軸を基準に上下左右で非対象となるように配置されていることを特徴とする。
【０００９】
前記通過孔を、口径の異なる複数種類の穴から構成し、さらに、隣接する２つの穴の中心が、前記水平軸又は垂直軸と平行な直線上に並べて配置される場合には、それらの口径が異なるようにすることが好ましい。
【００１０】
前記通過孔の内周には、減光板の背面側の径よりも前面側の口径が大きくなるようにテーパが付けられているとよい。また、前記減光板を通過して得られるストロボ光の配光角を前記接写用補助レンズの撮影画角に合わせるとよい。
【００１１】
前記減光板が前記ストロボ発光部の発光面に対して傾斜して配置される場合に、前記水平軸を基準として、前記発光面との距離が離れている領域の通過孔の占有面積が、前記距離が近い領域の占有面積よりも大きくすることが好ましい。
【００１２】
アダプタ本体の前面には、セルフ撮影時に撮影者が画角を確認するための画角確認用表示部が設けられており、前記表示部は、凹部と、その凹部の奥に配置され、撮影者が前記接写用補助レンズの画角内に入っている場合に撮影者によって視認可能なマークとからなることが好ましい。
【００１３】
アダプタ本体には、セルフ撮影時に撮影者が画角を確認するための反射ミラーが設けられていることが好ましい。
【００１４】
アダプタ本体には、カメラのファインダレンズの前方に配置され、近接撮影時に発生するパララックスに応じて前記ファインダレンズの視野範囲を補正する近接撮影用視野枠が設けられていることが好ましい。
【００１５】
【発明の実施の形態】
図１に示すレンズ付きフイルムユニット１０には、その前面に近接撮影用アダプタ１１が着脱自在に取り付けられている。レンズ付きフイルムユニット１０は、周知のように、簡単な露光機構を備えたユニット本体１２に、予め製造時に未露光の写真フイルムを装填したものである。ユニット本体１２は、フイルム収納室、ファインダ光学系、露光機構、ストロボ装置などが設けられる本体基部と、この本体基部を前後から覆う前カバー及び後カバーとからなる。ユニット本体１２の前面には、撮影レンズ１３，ファインダレンズ１４，ストロボ発光部１６，ストロボ装置の発光の有無を選択する操作部材１７などが設けられている。
【００１６】
撮影レンズ１３の周囲には、使用者の指が撮影レンズ１３の光路内に進入することを防止する指かかり防止用の隆起部１８が設けられている。ファインダレンズ１４は、ファインダ対物窓１９から露呈されている。ファインダ対物窓１９の大きさは、撮影レンズ１３の撮影範囲（画角）に応じて決められており、撮影レンズ１３の画角と、ファインダを通して確認される撮影範囲とがほぼ同じ大きさになるように、ファインダレンズ１４の視野範囲を規制する。
【００１７】
このレンズ付きフイルムユニット１０は、既に市販されているスタンダードタイプのもの（商品名：写ルンですシンプルＥｙｅ）で、撮影レンズ１３としては、ピントセット位置を１ｍ〜無限遠の撮影距離範囲に合わせた固定焦点式のレンズを使用している。
【００１８】
近接撮影用アダプタ１１は、接写用補助レンズ（以下、単に補助レンズという）３１が組み込まれたアダプタ本体３２と、このアダプタ本体３２をレンズ付きフイルムユニット１０に取り付けるための取り付け枠３３とからなる。アダプタ本体３２は、撮影レンズ１３の光路上から補助レンズ３１を退避させる退避位置（図１（Ａ）に示す）と、撮影レンズ１３の前方に補助レンズ３１を配置して、撮影レンズ１３の光路上に挿入する挿入位置（図１（Ｂ）に示す）との間で回動自在となるように、取り付け枠３３に取り付けられている。
【００１９】
図２に示すように、取り付け枠３３には、中央に撮影レンズ１３及び隆起部１８を露呈するための開口３４が形成されている。取り付け枠３３の背面には、係合爪３５及び位置決め用の突起３６が設けられている。ユニット本体１２には、係合爪３５と係合する係合穴１２ａと、突起３６と嵌合する位置決め用の穴１２ｂとが設けられている。取り付け枠３３は、係合爪３５と係合穴１２ａとの爪係合によりユニット本体１２に取り付けられている。取り付け枠３３は、製品の組み立て段階で取り付けられており、不用意にユーザーが取り外すことができないようにしている。なお、アダプタ単体で販売することを考慮して、着脱自在に取り付けられるようにしてもよい。
【００２０】
また、取り付け枠３３の下部には、アダプタ本体３２に形成された軸部３８が着脱自在に嵌合するフック３７が設けられている。軸部３８をフック３７に嵌合させることで、アダプタ本体３２が前記挿入位置と前記退避位置との間で回動自在となる。
【００２１】
補助レンズ３１は、主レンズである撮影レンズ１３と組み合わせることで、ピントセット位置を変更するクローズアップレンズである。補助レンズ３１と撮影レンズ１３との組み合わせにより、ピントセット位置が１ｍ以下の撮影距離範囲（例えば、４０ｃｍ〜８０ｃｍの範囲）に変更される。これにより、近接撮影をした場合でも良好な画質が得られるようになる。
【００２２】
図３に示すように、補助レンズ３１の周囲には、隆起部３９が設けられており、アダプタ本体３２が挿入位置にセットした時にも、補助レンズ３１の光路内に指が進入してしまうことを防止している。
【００２３】
また、アダプタ本体３２には、補助レンズ３１の上方に、近接撮影用ファインダ視野枠（以下、近接撮影用視野枠という）４１が一体に設けられている。図３に示すように、近接撮影用視野枠４１は、ファインダレンズ１４の光軸と撮影レンズ１３の光軸とがずれていることに起因するパララックス（視差）を補正するための視野枠であり、ファインダ対物窓１９の視野範囲を制限する。
【００２４】
周知のように、ファインダレンズ１４の光軸と、撮影レンズ１３の光軸とが離れている場合には、視差（パララックス）が生じ、そのズレは、撮影距離が短くなるほど、大きくなる。アダプタ本体３２が挿入位置にある場合には、撮影距離が短いと考えられる。このため、近接撮影用視野枠４１によって、ファインダ対物窓１９の視野範囲のうち、撮影レンズ１３の光軸から遠い領域（図上ハッチングで示す）を制限することで、ファインダで確認した視野範囲と、撮影レンズ１３によって撮影される撮影範囲とが大きくズレないようにしている。
【００２５】
また、近接撮影用視野枠４１内には、画面内の中心位置を示すターゲットリング４２が配置されている。フレーミングの際には、ターゲットリング４２の中心に主要被写体を合わせることで、主要被写体を簡単に画面内の中心に写し込むことができるようにしている。
【００２６】
アダプタ本体３２には、正面から見て、近接撮影用視野枠４１の左側に、反射ミラー４３が設けられている。反射ミラー４３は、使用者が使用者自身を写すいわゆるセルフ撮影をする際に、被写体となる使用者自身が画角内にあるかどうかを確認するためのものである。反射ミラー４３は、凸面鏡で形成されており、補助レンズ３１の画角内にある被写体を写すことができるように、反射ミラーの向きや凸面の曲率などは、補助レンズ３１の画角に合わせて決定されている。
【００２７】
また、近接撮影用視野枠４１の右側には、減光板４６が設けられている。減光板４６は、ストロボ発光部１６の前面に対応する位置に配置される。減光板４６は、近接撮影時にストロボ発光部１６から放射されるストロボ光の一部をカットすることにより、ストロボ光を減光して、露光量がオーバーすることを防ぐ。減光板４６は、遮光性を有し、ストロボ発光部１６の全面を覆う遮光板４７に、ストロボ光を通過させる多数の穴からなる通過孔４８を形成したものである。通過孔４８は、口径が異なる複数種類の穴４８ａ〜４８ｆからなる。各穴４８ａ〜４８ｆの口径Ｄａ〜Ｄｆは、Ｄａ，Ｄｂ，Ｄｃ，Ｄｄ，Ｄｅ，Ｄｆの順に大きい。
【００２８】
各穴４８ａ〜４８ｆは、それらの配列パターンが、遮光板４７の中心を通過する水平軸Ａｈ及び垂直軸Ａｖを基準として、上下左右が非対称となるように配置されている。ここで、水平軸Ａｈは、放電管の管軸方向と平行な方向である。さらに、各穴は不規則に配置されている。すなわち、図６（Ａ）に示すように、各穴４８ａ〜４８ｆは、それらの穴のうち隣接する２つの穴の中心が、前記水平軸Ａｈ又は垂直軸Ａｖと平行な直線Ｌｈ又は直線Ｌｖ上に位置することがないように、ズラして配置されている。さらに、隣接する２つの穴が同じ口径にならないように、口径が異なる穴同士を隣接させている。このように、通過孔４８の配列に規則性をなくしたので、配光ムラの規則性もなくなり、配光ムラが目立たなくなる。
【００２９】
本例では、隣接する２つの穴の中心が直線Ｌｈ又は直線Ｌｖ上に並ばないようにしているが、図６（Ｂ）に示すように、隣接する２つの穴の中心を直線Ｌｈ又は直線Ｌｖ上に並べてもよい。ただし、その場合には、隣接する２つの穴の口径が異なるようにするとよい。
【００３０】
減光板４６は、ストロボ発光部１６の前方に配置される。ストロボ発光部１６は、メインコンデンサからの給電により発光する閃光放電管５１と、その背面に配置されて被写体に向けて光を反射するリフレクタ５２と、閃光放電管５１が発光したストロボ光を透過させるとともに、そのストロボ光を拡散させる拡散板５３とからなる。
【００３１】
ユニット本体１２の前面は、撮影レンズ１３の周囲に隆起部１８が形成されていたり、中央部から上端部にかけて曲面で形成されている。また、ストロボ発光部１６の発光面５３ａは、ユニット本体１２の前面から奥まったところに配置されている。こうしたユニット本体１２のデザイン状の制約があるため、減光板４６を、発光面５３ａと平行に配置しようとすると、減光板４６と発光面５３ａとの間隔が大きく空いてしまう。
【００３２】
しかし、図８に示すように、通過孔４８の径ｄが同じであるとすると、減光板４６と発光面５３ａの距離Ｌが離れれば離れるほど、配光角Ｒは小さくなり、配光性が悪化してしまう。すなわち、距離Ｌ１のときの配光角ｒ１（図８（Ａ））は、距離Ｌ１よりも短い距離Ｌ２のときの配光角ｒ２（図８（Ｂ））よりも小さくなる。そのため、減光板４６の一部だけでも、発光面５３ａと接近させることができるように、減光板４６をユニット本体１２の前面形状に合わせて角度α傾けて配置している。こうすることで、減光板４６の上部が発光面５３ａと接近するので、配光性の悪化が防止される。
【００３３】
上述したように、減光板４６と発光面５３ａとの間隔が大きいほど、配光性は悪化する。この配光性の悪化を抑制するために、発光面５３ａとの間隔が大きい部位の通過孔４８の占有面積を、間隔が狭い部位の通過孔４８の占有面積よりも大きくしている。本例では、減光板４６の下部の方が、上部よりも発光面５３ａとの距離が離れているので、遮光板４７に占める通過孔４８の占有面積を、水平軸Ａｈの上方よりも、下方側を大きくしている。通過孔４８の占有面積を大きくする方法としては、各穴の口径を大きくしたり、穴の数を多くするなどの方法がある。
【００３４】
また、図９に示すように、通過孔４８の内周面には、減光板４６の背面側の口径ｄ１よりも前面側の口径ｄ２の方が大きくなるように、テーパが付けられている。このように、テーパを付けることにより、配光角ｒを大きくして、配光ムラを軽減させている。
【００３５】
また、図７に示すように、通過孔４８のテーパ角βは、内周面の各部位で均一でなくともよく、減光板４６の傾きαに応じて変化させてもよい。本例では、減光板４６の前面が上方を向くように傾いているので、下方側へのストロボ光の配光を考慮して、内周面の下部のテーパ角β２を、上部のテーパ角β１よりも大きくしている。また、通過孔４８全体の配光角Ｒが、補助レンズ３１の画角に合うように、周縁付近に位置する穴のテーパ角を決めるとよい。こうすることで、補助レンズ３１の撮影範囲の全範囲に渡ってストロボ光を照射することができる。
【００３６】
以下、上記構成による作用について説明する。レンズ付きフイルムユニット１０に近接撮影用アダプタ１１を装着する。風景や人物撮影など、撮影距離が１ｍ以上の場合には、図１（Ａ）に示すように、アダプタ本体３２を退避位置に移動して、撮影を行う。撮影レンズ１３のピントセット位置は、撮影距離が１ｍ〜無限遠に合っているので、その撮影距離範囲にある被写体を鮮明な画質で撮影することができる。
【００３７】
他方、セルフ撮影や花や植物などをマクロ撮影する場合には、図１（Ｂ）に示すように、アダプタ本体３２が挿入位置にセットされる。アダプタ本体３２は、取り付け枠３３に回動自在に取り付けられているから、挿入位置への回動を簡単に行うことができる。この挿入位置では、補助レンズ３１が撮影レンズ１３の前方に配置され、撮影レンズ１３との組み合わせにより、ピントセット位置が撮影距離範囲が１ｍ以下の近距離側に変更される。これにより、近接撮影を行った場合でも、ピントがボケてしまうことはなく鮮明なプリントが得られる。
【００３８】
また、アダプタ本体３２には、近接撮影用視野枠４１が設けられているから、パララックスが補正される。このため、近接撮影の場合でも、フレーミングの際に確認されるファインダ視野範囲と、撮影レンズ１３によって撮影される撮影範囲とが大きくズレてしまうことがなくなる。さらに、近接撮影用視野枠４１には、ターゲットリング４２が設けられているから、このターゲットリング４２と主要被写体を重ね合わせることで、簡単に主要被写体位置を画面内の中心に合わせることができる。
【００３９】
ストロボ撮影を行う場合には、減光板４６を通過したストロボ光が被写体に照射される。減光板４６により、露光オーバーを防止することができる。また、減光板４６を通過するストロボ光の配光角Ｒを、補助レンズ３１の画角に合わせているから、撮影範囲の全体に渡ってストロボ光が照射される。また、減光板４６の通過孔４８は、その配列パターンが、水平軸Ａｈ及び垂直軸Ａｖを基準として、上下左右非対称となっているから、照射範囲内における配光ムラが抑制される。また、通過孔４８は、異なる口径を持つ複数種類の穴４８ａ〜４８ｆからなり、さらに、これら各穴４８ａ〜４８ｆは、隣接する穴の中心が、直線Ｌｈ及び直線Ｌｖ上に並ぶことがないように配置されるので、より規則性が排除されて、配光ムラが抑制される。
【００４０】
また、各穴４８ａ〜４８ｆの内周面には、背面側よりも前面側の口径が大きくなるようにテーパが付けられているから、各穴の配光角ｒが大きくなって、配光性が向上する。また、減光板４６は、発光面５３ａに対して傾けて配置されているので、減光板４６の下部は、上部よりも発光面５３ａとの距離が大きい。しかし、その配光性の悪化を抑制するために、通過孔４８の占有面積を大きくしているので、配光ムラが抑制される。これにより、露光オーバーを防止するとともに、配光ムラが少ない良好なプリントが得られる。
【００４１】
上記実施形態では、アダプタ本体に反射ミラーを設けた例で説明したが、反射ミラーを設けなくてもよい。図１０は、反射ミラーを設けない近接撮影用アダプタ６１の例である。反射ミラーが無ければ、近接撮影用アダプタ６１のコストを低下させることができるというメリットがある反面、セルフ撮影をする場合に、画角内に被写体が入っているかを確認することができないというデメリットがある。そのため、アダプタ本体６２の前面に、セルフ撮影時に撮影者が画角を確認するための画角確認用表示部６３を設けるとよい。
【００４２】
図１１に示すように、画角確認用表示部６３は、凹部６５と、その凹部の奥に配置され、撮影者が補助レンズ３１の画角内に入っている場合に撮影者によって視認可能なマーク６６とからなる。凹部６５は、アダプタ本体６２の前面に形成されており、マーク６６は、取り付け枠３３の前面に形成された突起によって構成される。アダプタ本体６２を挿入位置に移動すると、凹部６５の奥に形成された開口６５ａに、マーク６６が進入する。
【００４３】
このマーク６６が見える角度θは、前記補助レンズ３１の画角に応じて決められる。角度θは、マーク６６の大きさ（直径）とマーク６６が配置される深さに応じて決まるので、角度θが補助レンズ３１の画角に合うように、マーク６６の直径や深さが決められる。なお、マーク６６を取り付け枠３３に形成した例で説明しているが、もちろん、取り付け枠３３に設けなくてもよく、例えば、凹部の奥に、印刷によりマークを設けてもよい。
【００４４】
図１２に示すように、セルフ撮影時に、レンズ付きフイルムユニット１０を撮影者自身に向けて構えたときに、被写体である撮影者が補助レンズ３１の画角内に入っていれば、図１２（Ａ）や図１２（Ｂ）に示すように、凹部６５の奥のマーク６６を視認することができる。図１２（Ａ）は、撮影者が画角の中心に入っている場合の画角確認用表示部６３の見え方を示し、図１２（Ｂ）は、撮影者が画角の端に入っている場合の見え方を示す。他方、撮影者が画角内に入っていない場合には、図１２（Ｃ）のように、マーク６６を見ることができない。この画角確認用表示部６３は、反射ミラーと比較して、低コストで実装することができるので、近接撮影用アダプタ６１の低コスト化に寄与することができる。
【００４５】
また、近接撮影用アダプタ６１の近接撮影用視野枠４１にハーフミラーをはめ込み、これを反射ミラーの代わりとしてもよい。
【００４６】
上記実施形態では、近接撮影用アダプタをレンズ付きフイルムユニットに着脱自在に取り付ける例で説明したが、近接撮影用アダプタをレンズ付きフイルムユニットに固定式に取り付けてもよい。また、近接撮影用アダプタのアダプタ本体に、近接撮影用視野枠や反射ミラーを一体に設けた例で説明したが、これらは着脱式に取り付けられるようにしてもよいし、設けなくてもよい。減光板をアダプタ本体に一体に設けた例で説明しているが、減光板を着脱可能にアダプタ本体に取り付けてもよい。
【００４７】
また、近接撮影用アダプタをレンズ付きフイルムユニットに装着する例で説明したが、レンズ付きフイルムユニットの代わりにコンパクトカメラに装着するようにしてもよい。
【００４８】
【発明の効果】
以上詳細に説明したように、本発明の近接撮影用アダプタは、遮光板に、前記ストロボ発光部からの光が通過する多数の穴を形成した減光板を使用し、前記複数の穴を、それらの配列パターンが遮光板の中心を通る水平軸及び垂直軸を基準に上下左右で非対象となるように配置したから、配光の明部と暗部の規則性が排除されるので、配光ムラを軽減することができる。
【図面の簡単な説明】
【図１】近接撮影用アダプタを装着したレンズ付きフイルムユニットの外観斜視図である。
【図２】近接撮影用アダプタの構成図である。
【図３】近接撮影用アダプタの正面図である。
【図４】近接撮影用視野枠の説明図である。
【図５】減光板の正面図である。
【図６】通過孔の口径や配置を示す説明図である。
【図７】減光板の取り付け姿勢を示す説明図である。
【図８】配光角と、減光板と発光面との距離との関係を示す説明図である。
【図９】通過孔の内周面のテーパの説明図である。
【図１０】反射ミラー無しの近接撮影用アダプタの例を示す説明図である。
【図１１】画角確認用表示部の説明図である。
【図１２】レンズ付きフイルムユニットの向きに応じたマークの見え方の説明図である。
【図１３】従来の近接撮影用アダプタの減光板の説明図である。
【符号の説明】
１０  レンズ付きフイルムユニット
１１，６１  近接撮影用アダプタ
１３  撮影レンズ
３１  接写用補助レンズ
３２  アダプタ本体
３３  取り付け枠
４１  近接撮影用視野枠
４２  ターゲットリング
４３  反射ミラー
４６  減光板
４７  遮光板
４８  通過孔
６３  画角確認用表示部
６５  凹部
６６  マーク
【図１】
2004226744.tif 000003
【図２】
2004226744.tif 000004
【図３】
2004226744.tif 000005
【図４】
2004226744.tif 000006
【図５】
2004226744.tif 000007
【図６】
2004226744.tif 000008
【図７】
2004226744.tif 000009
【図８】
2004226744.tif 000010
【図９】
2004226744.tif 000011
【図１０】
2004226744.tif 000012
【図１１】
2004226744.tif 000013
【図１２】
2004226744.tif 000014
【図１３】
2004226744.tif 000015